(57)【要約】【課題】手を下げた状態で正確に脈拍を測定できるようにする。【解決手段】この脈拍センサ取付用バンドは、指Ｙの根元側Ｙ１に巻き付け固定されることで脈拍センサ６０を測定可能な状態で指Ｙにセットする第１バンド１００と、第１バンドよりも指の先側に巻き付け固定される第２バンド２００と、を有し、第２バンド２００が、第１バンド１００と独立して指に対する締め付け力を調節可能とされている。第２バンド２００の外表面には図形が印刷されており、第２バンド２００を伸長させて指に巻き付け固定したときの図形の形により、適正な締め付け力を発揮できているかどうかを判定する。【選択図】図１
2006087516.tif 000002
【特許請求の範囲】
【請求項１】
被検者の手の指に巻き付けることで、脈拍センサを、自身と手の指との間に挟んで、脈拍測定可能な状態に固定する脈拍センサ取付用バンドを備えた脈拍測定装置において、
前記脈拍センサ取付用バンドが、前記脈拍センサの固定される位置よりも指先側の位置における締め付け力を特定の範囲に調整可能に構成されていることを特徴とする脈拍測定装置。
【請求項２】
請求項１に記載の脈拍測定装置であって、
前記脈拍センサ取付用バンドが、巻き付けるべき指の長さ方向とそれに直交する方向の２方向に伸縮性を有する素材よりなることを特徴とする脈拍測定装置。
【請求項３】
請求項２に記載の脈拍測定装置であって、
前記脈拍センサ取付用バンドが、指に巻き付けた際に、前記脈拍センサの固定される位置よりも指先側の位置において伸長量に応じた締め付け力を発揮するものとして構成されており、
且つ、前記脈拍センサの固定される位置よりも指先側の位置のバンド外表面に、巻き付け方向へのバンド伸縮量に応じて伸び縮みする図形が描かれ、バンド巻き付け方向を横方向としそれと直交する方向を縦方向とした場合、その図形が、最適な締め付け力を発揮する適正な伸長量だけバンドが伸びたときに縦横寸法の略等しい適正バランスの図形となり、それより過小の伸長量のときに横寸法が縦寸法より短い歪んだ図形となり、また過大の伸長量のときに横寸法が縦寸法より長い歪んだ図形となるものであることを特徴とする脈拍測定装置。
【請求項４】
請求項３に記載の脈拍測定装置であって、
前記図形が、最適な締め付け力を発揮する適正な伸長量だけ前記脈拍センサ取付用バンドが伸びたときに円となるものであることを特徴とする脈拍測定装置。
【請求項５】
請求項３または４に記載の脈拍測定装置であって、
前記脈拍センサ取付用バンドの両端の互いに重ね合わせられる面に面ファスナが設けられていることを特徴とする脈拍測定装置。
【請求項６】
請求項１〜５のいずれかに記載の脈拍測定装置であって、
前記脈拍センサ取付用バンドが、前記脈拍センサの固定される位置よりも指先側の位置における締め付け力を３０ｇ〜２５０ｇの範囲に調整可能に構成されていることを特徴とする脈拍測定装置。
【請求項７】
請求項１〜６のいずれかに記載の脈拍測定装置であって、
脈拍測定装置本体が固定可能であり、脈拍測定装置用ホルダを手に装着した際に、手の甲側を覆う脈拍測定装置本体固定部と、
当該脈拍測定装置本体固定部の手の指側に延出して形成され、親指を除く手の指のうちの何れかに係止して指に固定することができる指装着部と、
当該脈拍測定装置本体固定部の手首側に延出してベルト状に形成され、手首の一方側から他方側へ巻回して係止して手首に固定することができる手首装着部と、
を備える脈拍測定装置用ホルダを有しており、
その脈拍測定装置用ホルダの前記指装着部として、前記脈拍センサ取付用バンドが設けられていることを特徴とする脈拍測定装置。
【請求項８】
被検者の手の指の根元側に巻き付け固定されることで、自身に搭載される脈拍センサを測定可能な状態で指に対しセットする第１バンドと、該第１バンドよりも指の先側に巻き付け固定される第２バンドと、を有し、前記第２バンドが、前記第１バンドと独立して、指に対する締め付け力を調節可能とされていることを特徴とする脈拍センサ取付用バンド。
【請求項９】
請求項８に記載の脈拍センサ取付用バンドであって、
前記第２バンドが、少なくとも指に対する巻き付け方向に伸縮可能であり、指に巻き付け固定された際に伸長量に応じた締め付け力を発揮するものとして構成されており、
且つ、第２バンドの外表面に、巻き付け方向へのバンド伸縮量に応じて伸び縮みする図形が描かれ、バンド巻き付け方向を横方向としそれと直交する方向を縦方向とした場合、その図形が、最適な締め付け力を発揮する適正な伸長量だけバンドが伸びたときに縦横寸法の略等しい適正バランスの図形となり、それより過小の伸長量のときに横寸法が縦寸法より短い歪んだ図形となり、また過大の伸長量のときに横寸法が縦寸法より長い歪んだ図形となるものであることを特徴とする脈拍センサ取付用バンド。
【請求項１０】
請求項８または９に記載の脈拍センサ取付用バンドであって、
前記第２バンドの両端の互いに重ね合わせられる面に面ファスナが設けられていることを特徴とする脈拍センサ取付用バンド。
【請求項１１】
請求項８〜１０のいずれかに記載の脈拍センサ取付用バンドであって、
前記図形が、最適な締め付け力を発揮する適正な伸長量だけ第２バンドが伸びたときに円となるものであることを特徴とする脈拍センサ取付用バンド。
【請求項１２】
請求項８〜１１のいずれかに記載の脈拍センサ取付用バンドの前記第１バンドに脈拍センサを装着してなることを特徴とする脈拍測定装置。
【請求項１３】
人体の手に脈拍測定装置本体を装着固定するための脈拍測定装置用ホルダであって、
脈拍測定装置本体が固定可能であって、脈拍測定装置用ホルダを手に装着した際に、手の甲側を覆う脈拍測定装置本体固定部と、
当該脈拍測定装置本体固定部の手の指側に延出して形成され、親指を除く手の指のうちの何れかに係止して指に固定することができる指装着部と、
当該脈拍測定装置本体固定部の手首側に延出してベルト状に形成され、手首の一方側から他方側へ巻回して係止して手首に固定することができる手首装着部と、を有し、
前記指装着部を構成するバンドとして、請求項８〜１１のいずれかに記載の脈拍センサ取付用バンドが使用されていることを特徴とする脈拍測定装置用ホルダ。
【請求項１４】
請求項１３に記載の脈拍測定装置用ホルダであって、
前記脈拍測定装置本体固定部には、脈拍測定装置本体に設けられた係止部に係止した後、折り返して、折り返した部分を係止することにより、脈拍測定装置本体を固定することができる折り返し部が設けられていることを特徴とする脈拍測定装置用ホルダ。
【請求項１５】
請求項１３または１４に記載の脈拍測定装置用ホルダであって、
前記脈拍測定装置本体固定部に設けられた折り返し部及びその折り返し部が折り返して係止される部分に互いに係合する面ファスナが設けられていることを特徴とする脈拍測定装置用ホルダ。
【請求項１６】
請求項１３〜１５のいずれかに記載の脈拍測定装置用ホルダであって、
前記脈拍測定装置本体固定部には、一または複数の孔が設けられていることを特徴とする脈拍測定装置用ホルダ。
【請求項１７】
請求項１３〜１６のいずれかに記載の脈拍測定装置用ホルダであって、
前記脈拍測定装置本体固定部には、手首装着部の先端部側を通し、その先端部側を折り返して手首装着部に係止するための折り返し用穴が設けられていることを特徴とする脈拍測定装置用ホルダ。
【請求項１８】
請求項１７に記載の脈拍測定装置用ホルダであって、
前記手首装着部の先端部分側の表面及びこの先端部分側が当該脈拍測定装置本体固定部に設けられた折り返し用穴を通され折り返されて接する部分に、互いに係合する面ファスナが設けられていることを特徴とする脈拍測定装置用ホルダ。
【請求項１９】
請求項１３〜１８のいずれかに記載の脈拍測定装置用ホルダであって、
伸縮自在の一枚の布部材をベースとして形成されていることを特徴とする脈拍測定装置用ホルダ。
【請求項２０】
請求項１３〜１９のいずれかに記載の脈拍測定装置用ホルダの指装着部を構成する脈拍センサ取付用バンドの前記第１バンドに脈拍センサを装着し、前記脈拍測定装置本体固定部に脈拍測定装置本体を固定してなることを特徴とする脈拍測定装置。
【発明の詳細な説明】
【技術分野】
【０００１】
本発明は、脈拍センサを指に適正に装着するための脈拍センサ取付用バンドを備えた脈拍測定装置、脈拍センサ取付用バンド、及び、その脈拍センサ取付用バンドを指装着部に使用した脈拍測定装置用ホルダに関するものである。
【背景技術】
【０００２】
人の指にバンドを嵌めたり巻き付けたりして、バンド上に取り付けた脈拍センサにより脈拍を検知する簡易型の脈拍測定装置が最近ではよく知られている。この種の簡易型の脈拍測定装置は、一般の人が手軽に使用できるものであることから、例えばウォーキングしながら脈拍測定を行うこともよくある。
【０００３】
しかし、ウォーキングしながら測定すると、手を下げ振りしながらの測定となるため、血液が手の先に集まることにより、例えば指の根元で脈拍を検出している場合、人によっては脈拍が小さくなってしまい、精度良く測定できなくなることがあった。
【０００４】
この現象の対策としては、指を一定の力でバンドにより締め付けることが重要であると考えられるが、バンドを嵌めたり巻き付けたりする際に一定の力で締め付けるのは実際のところなかなか難しい。
【０００５】
この点、従来、伸縮性を有するバンドに、バンド巻き付け強さを示すための伸縮可能な目印部（マーキング部）を設けると共に、同バンドに目印部の伸縮の度合いを判定して最適なバンド巻き付け強さを求めるための基準部を設けたものが知られている（例えば、特許文献１参照）。この技術においては、目印部が、バンドの伸縮に伴って伸縮するので、その伸縮の度合いによってバンドの巻き付け強さを示すことができる。また、基準部が、目印部の伸縮の度合いを判定するための基準となるから、目印部の伸縮の度合いを基準部で判断することにより、最適なバンド巻き付け強さとなっているか否かを判定することができる。
【０００６】
因みに、この種のバンド巻き付け型の脈拍計において、バンドの巻き付けが弱過ぎると、脈圧発生部と脈圧センサとの間に隙間が生じて、誤動作を発生する可能性が出てくる。逆に、バンドの巻き付けが強過ぎると、脈圧センサや脈圧発生部に圧力が加わり過ぎて検出信号が小さくなってしまい、脈拍の検出ができなくなる可能性が出てくる。
【０００７】
また、別の従来技術として、脈波センサを生体表面に密着させるバンドを、予めサポーター状に形成しておいて、指の外周に嵌め付けるものもある（例えば、特許文献２参照）。
【０００８】
【特許文献１】特開平５−３２９１１７号
【特許文献２】特許３５２４９９８号
【発明の開示】
【発明が解決しようとする課題】
【０００９】
しかし、いずれの従来技術においても、手を下げた状態で正確に脈拍測定を行うことができない場合が依然としてあることが分かった。即ち、脈拍センサを搭載した部分のバンドを、いくら適正な締め付け力で指に巻き付けても、手を下げた状態では、指先に血液が集まることにより、測定結果が乱れてしまい、正確な脈拍が測定できないことが分かった。
【００１０】
本発明は、上記事情を考慮し、手を下げた状態においても正確に脈拍測定を行うことを可能にする脈拍測定装置、脈拍センサ取付用バンド、及び、その脈拍センサ取付用バンドを指装着部に使用した脈拍測定装置用ホルダを提供することを目的とする。
【課題を解決するための手段】
【００１１】
本発明者は、鋭意研究の結果、脈拍センサを取り付けたバンド部分よりも更に指先側の適当な箇所、つまり、センサ付きのバンドを指の根元側に巻き付けた場合は、その更に指先側の第２関節のあたり、あるいは、第２関節と第１関節の間あたりを、適正な力で締め付けることにより、手を下げた状態でも正確に脈拍を測定できることを見い出し、以下の本発明を得るに至った。
【００１２】
請求項１の発明の脈拍測定装置は、被検者の手の指に巻き付けることで、脈拍センサを、自身と手の指との間に挟んで、脈拍測定可能な状態に固定する脈拍センサ取付用バンドを備えた脈拍測定装置において、前記脈拍センサ取付用バンドが、前記脈拍センサの固定される位置よりも指先側の位置における締め付け力を特定の範囲に調整可能に構成されていることを特徴とする。
【００１３】
請求項２の発明は、請求項１に記載の脈拍測定装置であって、前記脈拍センサ取付用バンドが、巻き付けるべき指の長さ方向とそれに直交する方向の２方向に伸縮性を有する素材よりなることを特徴とする。
【００１４】
請求項３の発明は、請求項２に記載の脈拍測定装置であって、前記脈拍センサ取付用バンドが、指に巻き付けた際に、前記脈拍センサの固定される位置よりも指先側の位置において伸長量に応じた締め付け力を発揮するものとして構成されており、且つ、前記脈拍センサの固定される位置よりも指先側の位置のバンド外表面に、巻き付け方向へのバンド伸縮量に応じて伸び縮みする図形が描かれ、バンド巻き付け方向を横方向としそれと直交する方向を縦方向とした場合、その図形が、最適な締め付け力を発揮する適正な伸長量だけバンドが伸びたときに縦横寸法の略等しい適正バランスの図形となり、それより過小の伸長量のときに横寸法が縦寸法より短い歪んだ図形となり、また過大の伸長量のときに横寸法が縦寸法より長い歪んだ図形となるものであることを特徴とする。
【００１５】
請求項４の発明は、請求項３に記載の脈拍測定装置であって、前記図形が、最適な締め付け力を発揮する適正な伸長量だけ前記脈拍センサ取付用バンドが伸びたときに円となるものであることを特徴とする。
【００１６】
請求項５の発明は、請求項３または４に記載の脈拍測定装置であって、前記脈拍センサ取付用バンドの両端の互いに重ね合わせられる面に面ファスナが設けられていることを特徴とする。
【００１７】
請求項６の発明は、請求項１〜５のいずれかに記載の脈拍測定装置であって、前記脈拍センサ取付用バンドが、前記脈拍センサの固定される位置よりも指先側の位置における締め付け力を３０ｇ〜２５０ｇの範囲に調整可能に構成されていることを特徴とする。
【００１８】
請求項７の発明は、請求項１〜６のいずれかに記載の脈拍測定装置であって、脈拍測定装置本体が固定可能であり、脈拍測定装置用ホルダを手に装着した際に、手の甲側を覆う脈拍測定装置本体固定部と、当該脈拍測定装置本体固定部の手の指側に延出して形成され、親指を除く手の指のうちの何れかに係止して指に固定することができる指装着部と、当該脈拍測定装置本体固定部の手首側に延出してベルト状に形成され、手首の一方側から他方側へ巻回して係止して手首に固定することができる手首装着部と、を備える脈拍測定装置用ホルダを有しており、
その脈拍測定装置用ホルダの前記指装着部として、前記脈拍センサ取付用バンドが設けられていることを特徴とする。
【００１９】
請求項８の発明の脈拍センサ取付用バンドは、被検者の手の指の根元側に巻き付け固定されることで、自身に搭載される脈拍センサを測定可能な状態で指に対しセットする第１バンドと、該第１バンドよりも指の先側に巻き付け固定される第２バンドと、を有し、前記第２バンドが、前記第１バンドと独立して、指に対する締め付け力を調節可能とされていることを特徴とする。
【００２０】
請求項９の発明は、請求項８に記載の脈拍センサ取付用バンドであって、前記第２バンドが、少なくとも指に対する巻き付け方向に伸縮可能であり、指に巻き付け固定された際に伸長量に応じた締め付け力を発揮するものとして構成されており、且つ、第２バンドの外表面に、巻き付け方向へのバンド伸縮量に応じて伸び縮みする図形が描かれ、バンド巻き付け方向を横方向としそれと直交する方向を縦方向とした場合、その図形が、最適な締め付け力を発揮する適正な伸長量だけバンドが伸びたときに縦横寸法の略等しい適正バランスの図形となり、それより過小の伸長量のときに横寸法が縦寸法より短い歪んだ図形となり、また過大の伸長量のときに横寸法が縦寸法より長い歪んだ図形となるものであることを特徴とする。
【００２１】
請求項１０の発明は、請求項８または９に記載の脈拍センサ取付用バンドであって、前記第２バンドの両端の互いに重ね合わせられる面に面ファスナが設けられていることを特徴とする。
【００２２】
請求項１１の発明は、請求項８〜１０のいずれかに記載の脈拍センサ取付用バンドであって、前記図形が、最適な締め付け力を発揮する適正な伸長量だけ第２バンドが伸びたときに円となるものであることを特徴とする。
【００２３】
請求項１２の発明の脈拍測定装置は、請求項８〜１１のいずれかに記載の脈拍センサ取付用バンドの前記第１バンドに脈拍センサを装着してなることを特徴とする。
【００２４】
請求項１３の発明の脈拍測定装置用ホルダは、人体の手に脈拍測定装置本体を装着固定するための脈拍測定装置用ホルダであって、脈拍測定装置本体が固定可能であって、脈拍測定装置用ホルダを手に装着した際に、手の甲側を覆う脈拍測定装置本体固定部と、当該脈拍測定装置本体固定部の手の指側に延出して形成され、親指を除く手の指のうちの何れかに係止して指に固定することができる指装着部と、当該脈拍測定装置本体固定部の手首側に延出してベルト状に形成され、手首の一方側から他方側へ巻回して係止して手首に固定することができる手首装着部と、を有し、前記指装着部を構成するバンドとして、請求項８〜１１のいずれかに記載の脈拍センサ取付用バンドが使用されていることを特徴とする。
【００２５】
請求項１４の発明は、請求項１３に記載の脈拍測定装置用ホルダであって、前記脈拍測定装置本体固定部には、脈拍測定装置本体に設けられた係止部に係止した後、折り返して、折り返した部分を係止することにより、脈拍測定装置本体を固定することができる折り返し部が設けられていることを特徴とする。
【００２６】
請求項１５の発明は、請求項１３または１４に記載の脈拍測定装置用ホルダであって、前記脈拍測定装置本体固定部に設けられた折り返し部及びその折り返し部が折り返して係止される部分に互いに係合する面ファスナが設けられていることを特徴とする。
【００２７】
請求項１６の発明は、請求項１３〜１５のいずれかに記載の脈拍測定装置用ホルダであって、前記脈拍測定装置本体固定部には、一または複数の孔が設けられていることを特徴とする。
【００２８】
請求項１７の発明は、請求項１３〜１６のいずれかに記載の脈拍測定装置用ホルダであって、前記脈拍測定装置本体固定部には、手首装着部の先端部側を通し、その先端部側を折り返して手首装着部に係止するための折り返し用穴が設けられていることを特徴とする。
【００２９】
請求項１８の発明は、請求項１７に記載の脈拍測定装置用ホルダであって、前記手首装着部の先端部分側の表面及びこの先端部分側が当該脈拍測定装置本体固定部に設けられた折り返し用穴を通され折り返されて接する部分に、互いに係合する面ファスナが設けられていることを特徴とする。
【００３０】
請求項１９の発明は、請求項１３〜１８のいずれかに記載の脈拍測定装置用ホルダであって、伸縮自在の一枚の布部材をベースとして形成されていることを特徴とする。
【００３１】
請求項２０の発明の脈拍測定装置は、請求項１３〜１９のいずれかに記載の脈拍測定装置用ホルダの指装着部を構成する脈拍センサ取付用バンドの前記第１バンドに脈拍センサを装着し、前記脈拍測定装置本体固定部に脈拍測定装置本体を固定してなることを特徴とする。
【発明の効果】
【００３２】
請求項１の発明によれば、脈拍センサの固定される位置よりも指先側の位置で指を適正な力で締め付けることができるので、ウォーキング時などにおいて手を下げた状態でも、測定結果を安定させることができて、正確な脈拍測定を行うことができる。
【００３３】
請求項２の発明によれば、脈拍センサ取付用バンドを、巻き付けるべき指の長さ方向とそれに直交する方向の２方向に伸縮性を有する素材により構成したので、同じバンドで脈拍センサを指に固定するものの、脈拍センサの存在に影響されずに、脈拍センサの固定される位置よりも指先側の位置で指を適正な力で締め付けることができ、正確な脈拍測定が可能になる。
【００３４】
請求項３の発明によれば、脈拍センサの固定される位置よりも指先側の位置のバンド外表面に描いてある図形の形（特に縦横の寸法バランス）を一目みるだけで、適正な締め付け力を発揮できる状態になっているかどうかを簡単明瞭に判断することができる。即ち、歪みのない適正なバランスの図形となっていれば、適正な締め付け力が発揮される状態になっていると判断することができるし、歪みのあるバランスの悪い図形となっていれば、不適正な力で締め付けが行われていると判断することができる。このように図形の形を見るだけで、バンドの締め付け状態を単純に判断できるので、構成が単純であり、コストもかからない。
【００３５】
請求項４の発明によれば、前記図形として、最適な締め付け状態のときに円となるものを使用したので、円の潰れ方を見ながら締め付け状態を確認することができ、誰でもやさしく見極めができる。例えば、取り扱い指示書に、「マーク（図形）がちょうど円（○）になったところで、バンドを固定してください」と書いておくだけで、適正な締め付け状態を実現することができる。
【００３６】
請求項５の発明によれば、両端の面ファスナにより、任意の位置で簡単にバンドを止めることができるので、指の太い細いによらず、図形の形を見ながら、適正な締め付け状態を作ることができる。
【００３７】
請求項６の発明によれば、脈拍センサの固定される位置よりも指先側の位置における締め付け力を３０ｇ〜２５０ｇの範囲に設定できるので、ウォーキング時などにおいて手を下げた状態でも、測定結果を安定させることができて、正確な脈拍測定を行うことができる。
【００３８】
請求項７の発明の脈拍測定装置は、脈拍測定装置用ホルダを備えているものの、この脈拍測定装置用ホルダには掌を覆う部分が無いため、手に汗をかいて脱ぎにくくなることがない。また、掌を覆う部分がないこと及び親指に脈拍測定装置用ホルダがかからず親指がフリーになることから、手をスムーズに動かすことができる。また、手首装着部を手首に巻回して係止できるため、簡単に手に装着することもできる。また、指装着部を構成するバンドとして、請求項１〜６のいずれかにおける脈拍測定センサ取付用バンドを使用しているので、前述した相応の効果を奏することができる。
【００３９】
請求項８の発明によれば、脈拍センサを搭載する第１バンドとは別に第２バンドを設け、この第２バンドで第１バンドよりも指先側を適正な力で締め付けることができるようにしたので、ウォーキング時などにおいて手を下げた状態でも、測定結果を安定させることができて、正確な脈拍測定を行うことができる。
【００４０】
請求項９の発明によれば、前記第２バンドの外表面に描いた図形の形（特に縦横の寸法バランス）を一目みるだけで、適正な締め付け力を発揮できる状態になっているかどうかを簡単明瞭に判断することができる。即ち、歪みのない適正なバランスの図形となっていれば、適正な締め付け力が発揮される状態になっていると判断することができるし、歪みのあるバランスの悪い図形となっていれば、不適正な力で締め付けが行われていると判断することができる。このように図形の形を見るだけで、バンドの締め付け状態を単純に判断できるので、構成が単純であり、コストもかからない。
【００４１】
請求項１０の発明によれば、前記第２バンドの両端の面ファスナにより任意の位置で簡単に第２バンドを止めることができるので、指の太い細いによらず、図形の形を見ながら、適正な締め付け状態を作ることができる。
【００４２】
請求項１１の発明によれば、前記図形として、最適な締め付け状態のときに円となるものを使用したので、円の潰れ方を見ながら締め付け状態を確認することができ、誰でもやさしく見極めができる。例えば、取り扱い指示書に、「マーク（図形）がちょうど円（○）になったところで、第２バンドを固定してください」と書いておくだけで、適正な締め付け状態を実現することができる。
【００４３】
請求項１２の発明の脈拍測定装置によれば、請求項８〜１１のいずれかに記載の脈拍センサ取付用バンドを備えるので、手を下げた状態でも、正確な脈拍測定を行うことができる。
【００４４】
請求項１３の発明の脈拍測定装置用ホルダは、脈拍測定装置本体が固定可能であって、脈拍測定装置用ホルダを手に装着した際に、手の甲側を覆う脈拍測定装置本体固定部と、当該脈拍測定装置本体固定部の手の指側に延出して形成され、親指を除く手の指のうちの何れかに係止して指に固定することができる指装着部と、当該脈拍測定装置本体固定部の手首側に延出してベルト状に形成され、手首の一方側から他方側へ巻回して係止して手首に固定することができる手首装着部とから構成されており、この脈拍測定装置用ホルダには掌を覆う部分が無いため、手に汗をかいて脱ぎにくくなることがない。また、掌を覆う部分がないこと及び親指に脈拍測定装置用ホルダがかからず親指がフリーになることから、手をスムーズに動かすことができる。また、手首装着部を手首に巻回して係止できるため、簡単に手に装着することもできる。また、指装着部を構成するバンドとして、請求項８〜１１のいずれかに記載の脈拍測定センサ取付用バンドを使用しているので、前述した相応の効果を奏することができる。
【００４５】
請求項１４の発明によれば、脈拍測定装置本体固定部には、脈拍測定装置本体に設けられた係止部に係止した後、折り返して、折り返した部分を係止することにより、脈拍測定装置本体を固定することができる折り返し部が設けられているので、この折り返し部を利用することにより、脈拍測定装置本体を簡単に素早く脈拍測定装置用ホルダに固定することが可能となる。
【００４６】
請求項１５の発明によれば、前記折り返し部及びその折り返し部が折り返して係止される部分に面ファスナが設けられているので、その取り付け・取り外しを簡単に素早く行うことができる。
【００４７】
請求項１６の発明によれば、脈拍測定装置本体固定部には、一又は複数の穴が設けられているため、この穴から汗が蒸発し易くなる一方、手が汗で蒸れ難くなるため、良い装着感が得られる。
【００４８】
請求項１７の発明によれば、脈拍測定装置本体固定部には、手首装着部の先端部側を通し、その先端部側を折り返して手首装着部に係止するための折り返し用穴が設けられているので、その穴に手首装着部の先端部側を通し、その先端部側を折り返して手首装着部に係止することにより、手や手首の大きさに拘らず、個々のサイズに合わせてホルダをしっかりと装着することが可能となる。
【００４９】
請求項１８の発明によれば、手首装着部の先端部分側の表面及びこの先端部分側が脈拍測定装置本体固定部に設けられた折り返し用穴を通され折り返されて接する部分に面ファスナが設けられているので、手首装着部を巻回して容易に素早く係止することができる。
【００５０】
請求項１９の発明によれば、脈拍測定装置用ホルダは、伸縮自在の一枚の布部材をベースとして形成されている。従って、脈拍測定装置用ホルダのベースとなる布部材が複数から構成されないため、加工が容易で、製造コストも低く抑えることが可能となる。また、伸縮自在の布部材をベースとするため、脈拍測定装置用ホルダが装着時に手にフィットしやすくなり、良い装着感を得ることができる。また、指装着部の係止穴に脈拍測定用センサを係止した場合、装着時に脈拍測定装置用ホルダが指に張り付くようにフィットすることとなり、脈拍測定用センサがしっかりと指表面に好適に押し付けられるため、脈拍をしっかりと計測することができる。
【００５１】
請求項２０の発明の脈拍測定装置によれば、請求項１３〜１９のいずれかに記載の脈拍測定装置用ホルダを使用しているので、前述した相応の効果を奏することができる。
【発明を実施するための最良の形態】
【００５２】
以下、本発明の実施形態を図面を参照して説明する。
図１は脈拍測定装置としての指バンド式脈拍計に使用される指装着バンドの第１実施形態を示す構成図で、（ａ）は断面図、（ｂ）は斜視図、図２は同指装着バンドの展開図、図３は同指装着バンドの伸長量を変化させた場合のマーク（図形）の形状の変化を示す図である。脈拍計の本体部は図示省略してある。
【００５３】
この実施形態の指装着バンド（脈拍センサ取付用バンド）は、第１バンド１００と、第２バンド２００と、両バンド１００、２００を連結一体化する連結片１５０とを備えている。第１バンド１００は、被検者の手の指Ｙの根元側Ｙ１に巻き付け固定されることで、自身に搭載された脈拍センサ６０を測定可能な状態で指Ｙに対しセットするバンドである。第２バンド２００は、第１バンド１００よりも指先側の第２関節のあたりＹ２に巻き付け固定されることで、脈拍センサ６０を搭載した第１バンド１００とは独立して、第１バンド１００よりも指先側の位置を締め付けるためのバンドである。
【００５４】
第１バンド１００と第２バンド２００は、別々に指Ｙの外周に巻き付けられるバンドとして構成されているので、各バンド１００、２００は、それぞれ独立して、指Ｙに対する締め付け力が調節可能である。両バンド１００、２００は、少なくとも巻き付け方向（矢印Ｎ方向＝指の周方向）に伸縮可能な素材により作製されており（本実施形態では、巻き付け方向及びそれと直交する２方向に伸縮自在な素材よりなる）、特に第２バンド２００は、指Ｙに巻き付けて固定された際に、伸長量に応じた締め付け力を発揮できるように構成されている。また、第１バンド１００もほぼ同様のものであるが、適当な力で指Ｙに巻き付け固定されることで、搭載した脈拍センサ６０を測定可能な状態で指Ｙに対しセットすることができるようになっている。なお、第１バンド１００の締め付け力の調節は、第２バンド２００ほど適切に行えなくてもよい。
【００５５】
前記第１バンド１００には、脈拍センサ６０を取り付けるための取付孔１３が設けられている。また、第２バンド２００には、指Ｙに巻き付けた際に見やすい外面上の位置（指に巻き付けた際に指の腹側になる位置）に、特別な図形（マーク）２２０が印刷されている。なお、印刷以外の方法で図形を描いても勿論よい。この図形２２０は、第２バンド２００の伸縮量に応じて伸び縮みするものであり、第２バンド２００の伸縮方向を横方向（指Ｙを基準にした方向で、指Ｙの周方向）とし、それと直交する方向を縦方向（指Ｙを基準にした方向で、指Ｙの長さ方向）とした場合、図３（ｂ）のように最適な締め付け力を発揮する適正な伸長量だけ第２バンド１００が伸びたときに、横寸法Ｔと縦寸法Ｓの略等しい適正バランスの図形となり、（ａ）のようにそれより過小の伸長量のときに横寸法Ｔが縦寸法Ｓより短い歪んだ図形となり、また（ｃ）のように過大の伸長量のときに横寸法Ｔが縦寸法Ｓより長い歪んだ図形となる、ような図形である。
【００５６】
本例では、適正締め付け量（伸長量）のときに真円（○）となる図形２２０が印刷されている。つまり、収縮状態での印刷時には、図３（ａ）に示すような楕円である。また、第１バンド１００及び第２バンド２００の両端の互いに重ね合わせられる面には、互いに係合する面ファスナ１１、１２が設けられている。
【００５７】
このように、第２バンド２００の外表面に所定形状の図形２２０を印刷しておくことにより、図３に示すように、図形２２０の形（特に縦横寸法Ｓ、Ｔのバランス）を一目みるだけで、適正な締め付け力を発揮できる状態になっているかどうかを簡単明瞭に判断することができる。即ち、（ｂ）に示すように、歪みのない適正なバランスの図形（真円＝○）となっていれば、適正な締め付け力が発揮される状態になっていると判断することができるし、（ａ）、（ｃ）に示すように、歪みのあるバランスの悪い図形（楕円）となっていれば、不適正な力で締め付けが行われていると判断することができる。例えば、取り扱い指示書に、「第２バンド２００に印刷した図形２２０がちょうど真円（○）になったところで、第２バンド２００を固定してください」と書いておくだけで、適正な締め付け状態を実現することができる。
【００５８】
脈拍測定装置を構成する場合は、この指装着バンドの第１バンド１００にセンサ取付孔１３を利用して脈拍センサ６０を取り付ける。そして、脈拍測定装置本体を別に用意することで、脈拍測定装置を完成させることができる。この場合の脈拍センサ６０としては、感圧センサあるいは光電脈波センサ等を使用することができる。
【００５９】
この装置で脈拍を測定する場合は、例えば、人差し指Ｙの根元側Ｙ１に第１バンド１００を巻き付け固定する。この際の締め付け力は特に厳密に管理しなくてもよい。次に、第２バンド２００を同様に、同じ指Ｙの、第１バンド１００を巻き付けた箇所よりも指先側に巻き付ける。ここでは、連結片１５０で第１バンド１００と第２バンド２００とを連結しているので、その連結片１５０の長さで規定される箇所（例えば、第２関節の当たりＹ２）に第２バンド２００を巻き付ける。その際、第２バンド２００は、適正な締め付け力を発揮できるように巻き付け固定する。即ち、第２バンド２００に印刷した図形２２０がちょうど真円（○）になるような伸長量のところで、面ファスナ１１、１２によりバンド２００を固定する。そして、この状態で脈拍測定装置本体を駆動して脈拍を測定する。
【００６０】
このように、脈拍センサ６０を搭載する第１バンド１００とは別に第２バンド２００を設け、この第２バンド２００で第１バンド１００よりも指先側を適正な力で締め付けることができるようにしたので、ウォーキング時などにおいて手を下げた状態でも、測定結果を安定させることができて、正確な脈拍測定を行うことができる。
【００６１】
図５〜図７は条件を違えて測定した場合の脈波の様子を示している。
図５は適正な締め付け力で第２バンド２００により指Ｙの第２関節のあたりＹ２を締め付けた場合の脈波の測定結果を示し、図６は適正な締め付け力に満たない緩めの力で第２バンド２００により指Ｙの第２関節のあたりＹ２を締め付けた場合の脈波の測定結果を示し、図７は適正な締め付け力を超えるきつめの力で第２バンド２００により指Ｙの第２関節のあたりＹ２を締め付けた場合の脈波の測定結果を示している。各図の（ａ）は腕を心臓と同じ高さに上げているとき、各図の（ｂ）は腕を垂らしているときの測定結果を示している。
【００６２】
図５に示すように、適正な締め付け力で第２バンド２００により指Ｙの第２関節のあたりＹ２を締め付けているときには、腕を上げているときも、垂らしているときも、同様の安定した波形が観察された。これに対して、図６、図７に示すように、不適正な締め付け力で第２バンド２００により指Ｙの第２関節のあたりＹ２を締め付けているときには、特に腕を垂らしているときに不安定な波形が観察された。つまり、第２バンド２００により適正な締め付けを行っていれば、腕を垂らしている場合（手を下げている場合）であっても、正確に脈拍の測定が行えることが分かった。
【００６３】
また、本実施形態では、第２バンド２００に印刷した図形２２０の形を見るだけで第２バンド２００の締め付け状態を単純に判断できるようにしているので、第２バンド２００の適正締め付けを簡単に行うことができる。従って、特定形状の図形２２０を印刷するだけでよいから、従来技術と比べて構成が単純であり、コストもかからない、という利点を持つ。
【００６４】
また、実際には第２バンド２００の両端の面ファスナ１１、１２により、任意の位置で簡単にバンド２００を止めることができるので、指の太い細いによらず、図形２２０の形を見ながら、適正な締め付け状態を作ることができる。なお、適正な締め付け力は、色々な人の脈の状態を見ながら決定するのが望ましく、おおよその実験結果からは、３０ｇ〜２５０ｇの範囲が適当であることが分かった。
【００６５】
上記実施形態においては、図形２２０として円（図４（ａ））を採用したが、図４（ｂ）〜（ｅ）に示すように、正方形（２２０Ｂ）、三角形（２２０Ｃ）、十字（２２０Ｄ）、×印（２２０Ｅ）等の各種の図形を採用することも可能である。
【００６６】
なお、上記実施形態では、第１バンド１００と第２バンド２００を連結片１５０で一体に連結した場合を示したが、完全に分離した構成としてもよい。
【００６７】
逆に、上記実施形態では、第１バンド１００と第２バンド２００を、それぞれ独立して指に巻き付けることのできる２枚のバンドとして構成した場合を示したが、第１バンド１００として機能する部分（脈拍センサを固定する部分）と、第２バンド２００として機能する部分（脈拍センサの固定位置より指先側を適切な力で締め付ける部分）を、１枚のバンド上に設けることもできる。
【００６８】
図８はそのような機能を果たす１枚の指装着バンドを備えた脈拍測定装置の実施形態を示している。（ａ）は指に装着した状態を示す断面図、（ｂ）は指の腹側から見た図、（ｃ）は斜視図である。
【００６９】
この実施形態の脈拍測定装置における指装着バンド（脈拍センサ取付用バンド）３００は、連続した１枚のバンドとして構成されており、前記実施形態の第１バンド１００として機能する第１締付部１００Ａと、前記実施形態の第２バンド２００として機能する第２締付部２００Ａとを備えている。そして、第１締付部１００Ａの内面側の位置（巻き付けたとき指の腹側となる位置）に、センサ取付孔１３を利用して脈拍センサ６０が取り付けられている。また、第２締付部２００Ａの外面側の位置（巻き付けたとき指の腹側となる位置）に、締め付け力判定用の図形２２０が印刷されている。また、指装着バンド３００の両端の互いに重ね合わせられる面には、互いに係合する面ファスナ１１、１２が設けられている。
【００７０】
この指装着バンド３００は、バンド巻き付け方向（指Ｙの周方向＝横方向）及びそれと直交する方向（指Ｙの長さ方向＝縦方向）の２方向に伸縮自在な１枚の布状の素材により構成されている。両締付部１００Ａ、２００Ｂは、特別に境界があって区別されるものではないが、指Ｙに巻き付けたときに、第１締付部１００Ａは、指Ｙの根元側Ｙ１に装着されることで、脈拍センサ６０を、自身と手の指Ｙとの間に挟んで、脈拍測定可能な状態に固定する。また、第２締付部２００Ａは、指Ｙに巻き付けたときに、脈拍センサ６０の固定される位置よりも指先側の位置において、指Ｙを特定の範囲の締め付け力で締め付ける。特に第２締付部２００Ｂは、前記の特定の範囲（３０ｇ〜２５０ｇ）に締め付け力を自由に調整できるものとして構成されている。
【００７１】
ここでは、指装着バンド３００が縦横方向に伸縮自在な素材により作製されているので、同じ１枚の指装着バンド３００で脈拍センサ６０を指に固定するものの、脈拍センサ６０を取り付けてある第１締付部１００Ａの締め付け状態に影響されずに、第２締付部２００Ａの締め付け力を適正な範囲に調節することができる。つまり、脈拍センサ６０の固定される位置よりも指先側の位置で、指Ｙを適正な力で締め付けることができる。
【００７２】
本例では、第２締付部２００Ａに印刷された図形２２０は、適正締め付け量（伸長量）のときに真円（○）となる図形である。つまり、収縮状態での印刷時には、図３（ａ）に示すような楕円である。この点については、先の実施形態と全く同様であるので、特にここでは説明しない。
【００７３】
このように、第２締付部２００Ａの外表面に所定形状の図形２２０を印刷しておくことにより、図形２２０の形（特に縦横寸法Ｓ、Ｔのバランス）を一目みるだけで、適正な締め付け力を発揮できる状態になっているかどうかを簡単明瞭に判断することができる。即ち、図３（ｂ）に示すように、歪みのない適正なバランスの図形（真円＝○）となっていれば、適正な締め付け力が発揮される状態になっていると判断することができるし、（ａ）、（ｃ）に示すように、歪みのあるバランスの悪い図形（楕円）となっていれば、不適正な力で締め付けが行われていると判断することができる。例えば、取り扱い指示書に、「第２バンド２００に印刷した図形２２０がちょうど真円（○）になったところで、第２バンド２００を固定してください」と書いておくだけで、適正な締め付け状態を実現することができる。
【００７４】
この脈拍測定装置で脈拍を測定する場合は、例えば人差し指Ｙの根元側Ｙ１に第１締付部１００Ａが位置し、同じ指Ｙのそれよりも指先側に第２締付部２００Ａが位置するように、指装着バンド３００を巻き付ける。その際、第２締付部２００Ａが適正な締め付け力を発揮できるように調整して、面ファスナ１１、１２を固定する。即ち、第２締付部２００Ａに印刷した図形２２０がちょうど真円（○）になるような伸長量のところで、面ファスナ１１、１２により指装着バンド３００を固定する。そして、この状態で脈拍測定装置本体を駆動して脈拍を測定する。
【００７５】
そうすると、脈拍センサ６０を固定した位置よりも指先側を適正な力で締め付けることができるので、ウォーキング時などにおいて手を下げた状態でも、測定結果を安定させることができて、正確な脈拍測定を行うことができる。
【００７６】
次に、図１〜図３に示した指装着バンドを指装着部に使用した脈拍測定装置用ホルダ及び脈拍測定装置について、図９〜図１４を参照して説明する。このホルダは、表示部分を含む装置本体を手首にではなく、手の甲部分に取り付けられるようにしたものであり、
（ａ）表示部分が見やすい
（ｂ）手にしっかりと固定できる
（ｃ）手首の自由度を阻害しない
（ｄ）掌側を解放でき、手を握った場合でも、違和感を生じにくくする
（ｅ）手が汗ばんだ状態であっても、着脱を容易にする
等の要求を満たすように工夫したものである。
【００７７】
図９は脈拍測定装置用ホルダの表面側の展開図、図１０は裏面側の展開図、図１１はホルダの指装着部の変形例を示す表面側の展開図、図１２は脈拍計を脈拍測定装置用ホルダに装着固定して脈拍測定装置を構成した状態を示す図、図１３は図１１のＡ−Ａ断面図、図１４は脈拍測定装置用ホルダを手に装着する動き及び装着時の状態を示す図であり、（ａ）は装着時の動きを示す図、（ｂ）及び（ｃ）は装着状態を手の甲側の斜め上方及び掌側から見た図である。
【００７８】
これらの図中、１０は指装着部であり、この指装着部１０を構成するバンドとして、図１〜図３に示した指装着バンドが使用されている。指装着部１０を構成するバンドは、第１バンド１００と第２バンド２００と、それらを連結する連結片１５０とを有する。１１は雄型面ファスナ、１２は雌型面ファスナ、１３はセンサ取付孔、２２０は第２バンド２００に印刷された図形（マーク）である。また、２０は脈拍計本体固定部、２１は雌雄混在型面ファスナ、２２は雌雄混在型面ファスナの折り返し部、２３はグロメット、２４は折り返し用穴、２５は通気用穴、３０は手首装着部、３１及び３２は雌雄混在型面ファスナ、４０はベースとなる布部材、５０は脈拍計本体、５１は脈拍計本体に設けられた係止部、６０は脈拍センサ、７０は脈拍計本体と脈拍センサを繋ぐコードである。
【００７９】
この脈拍測定装置用ホルダ１は、一枚の布部材４０をベースとして構成され、各図に示されるように、中央に膨らみをもたせたやや幅広に形成された脈拍測定装置本体固定部２０と、この脈拍測定装置本体固定部２０から手の指側に延出して２本のベルト形状に形成された指装着部１０と、脈拍測定装置本体固定部２０の手首側に延出してベルト状に形成された手首装着部３０とから構成される。指装着部１０は、第１バンド１００の反第２バンド側で、脈拍測定装置本体固定部２０の先端に連結されている。この実施例に係る脈拍測定装置用ホルダ１は、右手に装着するタイプのものであり、左手に装着するタイプはこれと線対称に構成される。
【００８０】
布部材４０は、一体に構成されているものであれば良く、積層構造となっていても良いことは勿論である。また、布部材４０は、伸縮可能なものであれば更に良い。本実施例では、伸縮性を有する布部材が使用されている。
【００８１】
脈拍測定装置本体固定部２０には、図９及び図１２に示すように、脈拍測定装置本体固定部２０の手首側（脈拍測定装置用ホルダを装着した際に、人の体に向かう部分側）に沿って指装着部１０近傍から手首装着部３０近傍まで雌雄混在型面ファスナ２１が設けられている。この雌雄混合面ファスナ２１からは、指装着部１０側と手首装着部３０側とから、脈拍計本体５０の係止部５１により形成された穴に差し込んで折り返して面ファスナ同士を係止して、脈拍計本体５０を脈拍測定装置本体固定部２０に固定するための、雌雄混在型面ファスナの折り返し部２２、２２が対になって対向する位置に突出して設けられている。雌雄混在型面ファスナ２１はベースとなる布部材４０に縫着されているが、この折り返し部２２，２２は、折り返すことができるように、ベースとなる布部材４０に縫着されていない。
【００８２】
この雌雄混在型面ファスナの折り返し部２２、２２の間には通気用の穴２５が設けられている。本実施例において、通気用の穴は一つであるが、複数設けられても良い事は勿論である。
【００８３】
また、この脈拍測定装置本体固定部２０の手首側には、手首装着部３０の先端側を挿入し折り返して係止するための折り返し用穴２４が設けられている。この折り返し用穴２４を補強すると共にスムーズに着脱可能とするため樹脂製のグロメット２３が設けられている。このグロメット２３は、脈拍測定装置用ホルダの形状、大きさに等によっては、利便性を考慮し必ずしも設けなくても良い。
【００８４】
なお、脈拍測定装置本体固定部２０は、脈拍計本体５０を固定できれば、その形状、大きさ、手段等は問われないものである。
【００８５】
指装着部１０は、脈拍測定装置本体固定部２０の指側に延出した２本のバンド（第１バンド１００、第２バンド２００）として形成されている。この指装着部１０は、指に巻回して指に装着するために指と略直角に交わるように形成されていると共に、先端側へ向かうに従って若干幅が狭くなるように形成されている。本実施例において指装着部１０は、手首装着部３０が延出して形成される方向と逆方向に延出して形成されているが、同様の構成で指に巻回できれば良いため、図１０に示すように、手首装着部３０と同じ方向に延出して形成されても良い。
【００８６】
この指装着部１０の先端部の裏面には、図１０に示すように、雌型面ファスナ１２が縫着され、基端部の表面には図８に示すように、雄型面ファスナ１１が縫着されている。指装着部１０を巻回して係止できればよいため、雌雄の面ファスナ型が逆となっても良く、また、雌雄混合型の面ファスナを用いても良い。
【００８７】
更に、指装着部１０の雌型面ファスナ１２と雄型面ファスナ１１の間の略中間には、脈拍センサを取り付けるためのセンサ取付孔１３が設けられ、そのセンサ取付孔１３がある指装着部１０の脈拍測定装置本体固定部２０に向かう側には、コード７０をホールドし易くする意味で、凸部（出っ張り）１４が設けられている。
【００８８】
手首装着部３０は、各図に示されるように、脈拍測定装置本体固定部２０の手首側に延出してベルト状に形成されている。手首装着部３０の表面の略中間部から先端部にかけては雌雄混合型面ファスナ３１が縫着して設けられ、基端側には先端部を脈拍測定装置本体固定部２０の折り返し用穴２４に通して折り返して係止するための雌雄混合型面ファスナ３２も縫着して設けられている。手首装着部３０は、折り返して係止できれば良いため、全体に雌雄混合型面ファスナを縫着しても良い。また、係止出来ればよいため、雌雄混合型面ファスナ３１、３２を、雌雄異なる型の面ファスナで構成しても良い。
【００８９】
なお、手首装着部３０は、折り返して係止できれば良く、その長さ、幅、形状も特に問われないものである。
【００９０】
次に、図１２、図１４を参照しながら、脈拍測定装置用ホルダ１の装着方法について説明する。
先ず、使用者は、脈拍測定装置用ホルダ１を装着する前に、脈拍計本体５０の長手方向両端に設けられた係止部５１、５１により形成された穴に折り返し部２２、２２を通して、折り返して雌雄混合型面ファスナ２１に押圧して面ファスナ同士を係合させ、脈拍計本体５０を固定する。図１３においては、この脈拍計本体５０が固定された状態を図１２のＡ−Ａ断面図として示している。また、脈拍センサ６０をセンサ取付孔１３に固定する。
【００９１】
次に、図１４（ａ）に示すように、指装着部１０を指側に、手首装着部３０を手首側に向けて、脈拍測定装置本体固定部２０を手の甲にのせる。そして、指装着部１０の第１バンド１００及び第２バンド２００を親指を除く何れかの指に巻回して、先端部の裏面側の雌型面ファスナ１２を基端部の表面の雄型面ファスナ１１に押圧して面ファスナ同士を係合させ固定する。その際、指装着部１０の第２バンド２００の表面に印刷してある図形２２０の形状から、指に対して適正な締め付け力となるように、面ファスナ１１、１２の係合位置を調整する。なお、本実施形態は、人差し指に装着するタイプの脈拍測定装置用ホルダである。
【００９２】
手首装着部３０は、図１４（ａ）〜（ｃ）に示すように、手首の外側から下側を通し手首の内側に巻回させ脈拍測定装置用ホルダ１の裏面側から、折り返し用穴２４を先端部から通し、先端部側を手首の下側方向に折り返して、先端部側の雌雄混合型面ファスナ３１を基端側の雌雄混合型面ファスナ３２に押圧して係止める。
【００９３】
この脈拍測定装置用ホルダ１は、一枚の伸縮自在な布部材４０をベースとして構成され、各図に示されるように、中央に膨らみをもたせたやや幅広に形成された脈拍測定装置本体固定部２０と、この脈拍測定装置本体固定部２０から手の指側に延出してベルト形状の形成された指装着部１０と、脈拍測定装置本体固定部２０の手首側に延出してベルト状に形成された手首装着部３０とから構成される。従って、脈拍測定装置用ホルダ１には、掌を覆う部分がないため、手に汗をかいて脱ぎにくくなることも無い。また、掌を覆う部分がないこと及び親指に脈拍測定装置用ホルダがかからず親指がフリーになることから、手をスムーズに動かすことができる。また、指装着部１０及び手首装着部３０を、共に巻回して係止できるため、簡単に手に装着することができる。また、指装着部１０を第１バンド１００と第２バンド２００で構成しているので、上述した指装着バンドによる効果を、そのまま発揮することができる。
【００９４】
また、指装着部１０及び手首装着部３０の係止のために、面ファスナが設けられている。従って、押しつけたり、引張ったりすることで、簡単に着脱することができる。
【００９５】
また、指装着部１０の先端側及びその基端側に設けられた面ファスナの間に脈拍センサを係止するためのセンサ取付孔１３が設けられているため、このセンサ取付孔１３に脈拍センサを装着することもできる。このセンサ取付孔１３に脈拍センサを装着すれば、脈拍測定装置用ホルダ１を装着するだけで、脈拍計を手に装着することが可能となる。従って、脈拍計の装着が非常に簡単にできることとなる。
【００９６】
また、脈拍測定装置本体固定部２０には、脈拍計本体５０に設けられた係止部５１により形成された穴に脈拍計本体５０の裏面側から差し込んだ後、折り返して、折り返した部分を係止することにより、脈拍計本体５０を固定することができる折り返し部２２が設けられており、この折り返し部２２及びその折り返し部２２が折り返して係止される部分が、雌雄混在型の面ファスナ２１により形成されている。従って、この折り返し部２２を利用することにより、脈拍計本体５０を簡単に素早く脈拍測定装置用ホルダ１に固定することが可能となる。また、その取り外しも簡単で素早く行うことが可能となる。
【００９７】
また、脈拍測定装置本体固定部２０には、通気用穴２５が設けられているため、この穴から汗が蒸発し易くなり、手が汗で蒸れ難くなるため、良い装着感が得られる。
【００９８】
また、脈拍測定装置本体固定部２０には、手首装着部３０の先端部分側を通し、その先端部側を折り返して手首装着部３０に係止することができる折り返し用穴が設けられていると共に、樹脂製のグロメット２３が設けられているので、手首装着部３０の先端部分をスムーズに折り返し用穴２４に通すことができる。
【００９９】
また、脈拍測定装置用ホルダ１は、伸縮自在の一枚の布部材４０の所定箇所に、面ファスナを縫着して形成されている。従って、脈拍測定装置用ホルダ１のベースとなる布部材が複数層から構成されず、面ファスナも縫着で簡単に固着できるため、製造が容易で、製造コストも低く抑えることが可能となる。また、伸縮性を有する布部材４０をベースとするため、脈拍測定装置用ホルダが装着時に手にフィットしやすくなり、良い装着感を得ることができる。また、指装着部１０のセンサ取付孔１３に脈拍センサを係止した場合、脈拍センサがしっかりと指表面に押し付けられるため、脈拍を安定して計測することができる。
【０１００】
また、脈拍測定装置用ホルダ１が、指装着部１０により、手の指方向に、手首装着部３０により、手首の手の小指側側面方向及び手首の手の親指側側面方向（手首装着部３０の基端部側に引張ると共に、折り返し用穴２４に手首装着部３０の先端部を通して引張るため）に引張られて三点支持で固定されるため、脈拍測定装置本体固定部２０がしっかりと手の甲に固定される。従って、脈拍測定装置本体固定部２０に固定された脈拍計本体１がぶれ難くなり、脈拍計本体５０の数値表示も見易くなる。
【０１０１】
なお、図９〜図１４の例では、指装着部１０のバンドとして、図１〜図３に示す２枚ものの指装着バンド（第１バンド１００と第２バンド２００を有するバンド）を備える脈拍測定装置用ホルダ１について示したが、図１５に示す脈拍測定装置用ホルダ１Ａように、図８の１枚ものの指装着バンド３００を備えてもよい。
【図面の簡単な説明】
【０１０２】
【図１】本発明の実施形態の脈拍センサ取付用バンドの構成図で、（ａ）は断面図、（ｂ）は斜視図である。
【図２】同バンドの展開図である。
【図３】同バンドにおける第２バンド２００の伸長量と図形２２０の形状の変化を示す図であり、（ａ）は伸長量不足（＝締め付け力不足）のとき、（ｂ）は適正な伸長量（適正締め付け力）のとき、（ｃ）は伸長量過大（＝締め付け力過大）のときを示す。
【図４】本発明で採用し得る図形２２０の形状例（ａ）〜（ｅ）と図形の形状の変化を示す図である。
【図５】適正な締め付け力で第２バンド２００により指Ｙの第２関節のあたりＹ２を締め付けた場合の脈波の測定結果を示し、（ａ）は腕を心臓と同じ高さに上げているとき、（ｂ）は腕を垂らしているときの測定結果を示す特性図である。
【図６】緩めの締め付け力で第２バンド２００により指Ｙの第２関節のあたりＹ２を締め付けた場合の脈波の測定結果を示し、（ａ）は腕を心臓と同じ高さに上げているとき、（ｂ）は腕を垂らしているときの測定結果を示す特性図である。
【図７】きつめの締め付け力で第２バンド２００により指Ｙの第２関節のあたりＹ２を締め付けた場合の脈波の測定結果を示し、（ａ）は腕を心臓と同じ高さに上げているとき、（ｂ）は腕を垂らしているときの測定結果を示す特性図である。
【図８】本発明の別の実施形態の脈拍センサ取付用バンドを備える脈拍測定装置の構成図で、（ａ）は指装着状態を示す断面図、（ｂ）は指の腹側から見た図、（ｃ）は斜視図である。
【図９】本発明の実施形態の脈拍測定装置用ホルダの表面側の展開図である。
【図１０】同ホルダの裏面側の展開図である。
【図１１】同ホルダの指装着部の変形例を示す表面側の展開図である。
【図１２】脈拍計本体を脈拍測定装置用ホルダに装着固定した状態を示す図である。
【図１３】図１２のＡ−Ａ断面図である。
【図１４】実施形態の脈拍測定装置用ホルダを手に装着する動き及び装着時の状態を示す図であり、（ａ）は装着時の動きを示す図、（ｂ）及び（ｃ）は装着状態を手の甲側の斜め上方及び掌側から見た図である。
【図１５】本発明の別の実施形態の脈拍測定装置用ホルダの表面側の展開図である。
【符号の説明】
【０１０３】
１，１Ａ    脈拍測定装置用ホルダ
１０    指装着部
１１    雄型面ファスナ
１２    雌型面ファスナ
１３    センサ取付孔
１４    凸部
２０    脈拍測定装置本体固定部
２１、３１，３２    雌雄混合型面ファスナ
２２    折り返し部
２３    グロメット
２４    折り返し用穴
２５    通気用穴
３０    手首装着部
４０    布部材
５０    脈拍計本体
５１    係止部
６０    脈拍センサ
７０    コード
１００  第１バンド
２００  第２バンド
２２０，２２０Ｂ〜２２０Ｅ  図形
３００  指装着バンド（脈拍センサ取付用バンド）
【図１】
2006087516.tif 000003
【図２】
2006087516.tif 000004
【図３】
2006087516.tif 000005
【図４】
2006087516.tif 000006
【図５】
2006087516.tif 000007
【図６】
2006087516.tif 000008
【図７】
2006087516.tif 000009
【図８】
2006087516.tif 000010
【図９】
2006087516.tif 000011
【図１０】
2006087516.tif 000012
【図１１】
2006087516.tif 000013
【図１２】
2006087516.tif 000014
【図１３】
2006087516.tif 000015
【図１４】
2006087516.tif 000016
【図１５】
2006087516.tif 000017